(57)【要約】【課題】パルプ成分を回収して再利用したり非木材パルプを利用することで環境に負荷をかけず、綿花を使用することで適度な柔軟性やフィット感を実現でき、しかも優れた復元力で真空包装を可能にする尿吸収体を提供する。【解決手段】ＰＶＡ（ポリビニルアルコール）からなる表面不織布１と，受けティッシュ２と，再生した回収パルプにケナフパルプを混合して成形した綿状シート３と，高分子吸収ポリマー４と，受けティッシュ２と，シート状に成形した綿花シート７と，受けティッシュ２と，前記と同じ綿状シート３と，受けティッシュ２と，ＰＶＡからなる防水加工を施した防水性裏面シート５とを積層一体化する。【選択図】          図５
2004187966.tif 000002
【特許請求の範囲】
【請求項１】
パルプにケナフパルプを所定割合で混合してシート状に成形して吸収シートとした尿吸収体。
【請求項２】
パルプにケナフパルプを所定割合で混合してシート状に成形し、同シートに綿花がシート状に成形された綿花シートを積層一体化して吸収シートとした尿吸収体。
【請求項３】
パルプにケナフパルプと綿花を所定割合で混合してシート状に成形して吸収シートとした尿吸収体。
【請求項４】
パルプが、バージンパルプ又は再生パルプ又はそれらを混合したパルプである請求項１〜３いずれか記載の尿吸収体。
【請求項５】
パルプとケナフパルプの割合が５０〜８０重量％：５０〜２０重量％の範囲である請求項１〜４いずれか記載の尿吸収体。
【請求項６】
パルプとケナフパルプと綿花の割合が４０〜２０重量％：３０〜２０重量％：３０〜６０重量％の範囲である請求項２又は３記載の尿吸収体。
【請求項７】
パルプをシート状に形成し、同シートに綿花がシート状に成形された綿花シートを積層一体化して吸収シートとした尿吸収体。
【請求項８】
パルプに綿花を所定割合で混合してシート状に成形して吸収シートとした尿吸収体。
【請求項９】
パルプが、バージンパルプ又は再生パルプ又はそれらを混合したパルプである請求項７又は８記載の尿吸収体。
【請求項１０】
パルプと綿花の割合が６０〜４０重量％：４０〜６０重量％の範囲である請求項７〜９いずれか記載の尿吸収体。
【発明の詳細な説明】
【０００１】
【発明の属する技術分野】
本発明は使い捨ておむつや尿取パッド等の尿吸収体に関し、詳しくは環境に負荷を与えず安価に構成でき、しかも安価ながら適度な柔軟性とフィット感を備えるとともに復元力にも優れる尿吸収体に関する。
【０００２】
【従来の技術】
従来、使い捨ておむつや尿取りパッド等の尿吸収体には、針葉樹や広葉樹から生成されたパルプが一般的に用いられている。ところで、これらの尿吸収体の使用済品はその大半が一過性のものとして焼却処理されており、近年では森林伐採が自然環境に悪影響を与えることや焼却処理時に発生する二酸化炭素の排出，ダイオキシン類の発生等が大きな問題となっている。また、従来の尿吸収体は復元力の小さいパルプを使用していたから、柔軟性やフィット感に乏しく、真空状態で包装ができず輸送コストを要していた。
【０００３】
【発明が解決しようとする課題】
本発明が解決しようとする課題は、従来のこれらの問題点を解消し、パルプ成分を回収して再利用したり非木材パルプを利用することで環境に負荷をかけず、綿花を使用することで適度な柔軟性やフィット感を実現でき、しかも優れた復元力で真空包装を可能にする尿吸収体を提供することにある。
【０００４】
【課題を解決するための手段】
かかる課題を解決した本発明の構成は、
１）  パルプにケナフパルプを所定割合で混合してシート状に成形して吸収シートとした尿吸収体
２）  パルプにケナフパルプを所定割合で混合してシート状に成形し、同シートに綿花がシート状に成形された綿花シートを積層一体化して吸収シートとした尿吸収体
３）  パルプにケナフパルプと綿花を所定割合で混合してシート状に成形して吸収シートとした尿吸収体
４）  パルプが、バージンパルプ又は再生パルプ又はそれらを混合したパルプである前記１）〜３）いずれか記載の尿吸収体
５）  パルプとケナフパルプの割合が５０〜８０重量％：５０〜２０重量％の範囲である前記１）〜４）いずれか記載の尿吸収体
６）  パルプとケナフパルプと綿花の割合が４０〜２０重量％：３０〜２０重量％：３０〜６０重量％の範囲である前記２）又は３）記載の尿吸収体
７）  パルプをシート状に形成し、同シートに綿花がシート状に成形された綿花シートを積層一体化して吸収シートとした尿吸収体
８）  パルプに綿花を所定割合で混合してシート状に成形して吸収シートとした尿吸収体
９）  パルプが、バージンパルプ又は再生パルプ又はそれらを混合したパルプである前記７）又は８）記載の尿吸収体
１０）  パルプと綿花の割合が６０〜４０重量％：４０〜６０重量％の範囲である前記７）〜９）いずれか記載の尿吸収体
にある。
【０００５】
【作用】
本発明によれば、吸収シートとして使用済品からパルプ成分を回収して再利用したり非木材パルプを利用することで環境に負荷をかけない安価な製品となり、また綿花のシートを積層したものは従来の尿吸収体と比較して適度な柔軟性やフィット感が得られ、しかも優れた復元力で真空包装が可能となり輸送コストを低減できる。
【０００６】
【発明の実施の形態】
本発明の再生パルプは、バージンパルプの他、再生パルプ，高分子吸収ポリマー，水溶性不織布の表面シート，防水シートで構成された使用済のおむつや尿取りパッド等を分離槽に投入し、同分離槽内に塩化カルシウム等の多価金属イオンの離水剤と５０℃以上の温水を投入・混合して撹拌し、水溶性不織布を溶解する。高分子吸収ポリマーは電解質であるのでＨ2Ｏ よりも強い力を持つ多価金属イオン（Ｃａ，Ｓｒ，Ｂａ）が存在すると、そのイオンとカルボキシン基（ＣＯＯ−）が結びついてＨ2Ｏ が追い出され、脱水（離水）という現象が生じてパルプ成分が容易に回収される。回収したパルプ成分を更に比重分離槽で分離させ、上位部分の高品質のパルプを洗浄・殺菌・乾燥処理して得た綿状のパルプを尿吸収体用の再生パルプとして再使用する。
【０００７】
また、不織布や防水性シートを構成する合成樹脂としては、水溶性で鹸過度９５以上、望ましくは９６以上のＰＶＡ（ポリビニルアルコール）が用いられ、身体に装着している状態では不溶で、溶解温度が５０℃以上など人体の体温を超える温度の溶液で溶解し、溶解後の溶液はシュードモナス属細菌により生分解して環境に悪影響を与えないものが望ましい。
【０００８】
吸収シートは綿状パルプのみを用いた単層のものでも良いが、高分子吸収ポリマー層を積層させた多層構造とすると吸収性がより向上して好ましい。以下、本発明の各実施例を図面に基づいて具体的に説明する。
【０００９】
【実施例】
実施例１：図１〜３に示す実施例１は、回収パルプにケナフパルプを混合してシート状に成形した吸収シートを尿取りパッドに適用した例である。図１は実施例１の尿取りパッドの斜視図、図２は図１のＡ−Ａ拡大分解断面図、図３は実施例１の使用済の尿吸収体の処理工程を示す説明図である。
【００１０】
図中、１は表面不織布、２は受けティッシュ、３は綿状シート、４は高分子吸収ポリマー、５は防水性裏面シート、８は伸縮部、９は粘着部、１０は撹拌槽、１１はモータ、１２は撹拌器、１３はポンプ、１４は温水、１５は離水剤、１６はメッシュコンベヤ、１７は比重分離槽、１８は洗浄・殺菌工程、１９は脱水・乾燥工程、２０はシート成形工程、２１はポリマー分離槽、２２は浄化槽、２３は廃水処理工程、２４は分解菌、ｐは使用済の尿吸収体、Ｐは再生パルプ、Ｔは堆肥である。
【００１１】
まず、図３に示すように使用済の尿吸収体（使い捨ておむつ又は尿取りパッド）ｐを５０℃以上の温水（溶液）１４が貯水された撹拌槽１０に離水剤１５とともに投入し、撹拌器１２で混合・撹拌すると尿吸収体ｐの表面シート及び防水シートが溶解して吸収シートが放出される。又高分子吸収ポリマーは離水剤１５によって吸水した水分を脱水（離水）してポリマー分離槽２１に排水させ、回収を容易にする。
【００１２】
再生パルプＰを得るためには、メッシュコンベヤ１６でパルプ成分を抽出し、比重分離槽１７で更にパルプ成分を分離して品質別にパルプを回収し、洗浄・殺菌工程１８、脱水・乾燥工程１９を経て再生パルプＰを得る。上品質のパルプは更にシート状に加工して吸収シートに再利用される。残液は浄化槽２２に集められ、分解菌２４を投入して生分解し、廃水処理される。固型物は脱水・乾燥処理して堆肥Ｔとして利用される。
【００１３】
前記で得られた再生パルプＰにケナフパルプを８０：２０（重量％）の割合で混合し、シート状に成形して綿状シート３を得、図２に示すように２枚の同綿状シート３間に高分子吸収ポリマー４と受けティッシュ２を介在し、各綿状シート３の各面に受けティッシュ２をそれぞれ介してＰＶＡ（ポリビニルアルコール）からなる水溶性の表面不織布１と同じくＰＶＡからなる防水加工を施した水溶性の防水性裏面シート５をそれぞれ重ね合わせて積層一体化し、図１に示すように着用者の太股に密着させる伸縮部８をゴムで形成するとともに防水性裏面シート５の表面に下着に装着する粘着部９を形成している。
【００１４】
実施例１ではこのように構成したから、使用済品からパルプ成分を回収して再利用するとともに非木材のケナフパルプを使用することで新たに木材を伐採することなく環境に負荷をかけず且つ十分な品質を有する安価な製品が提供できた。また、その尿吸収体を使用後、同様に再処理してパルプ成分を分離回収でき、リサイクルを進捗させることが可能となった。
【００１５】
実施例２：図４に示す実施例２はシート状に成形した回収パルプにシート状の綿花を積層した吸収シートを尿取りパッドに適用した例である。図２は実施例２の尿取りパッドの拡大分解断面図である。図中、６は綿状シート、７は綿花シートである。
【００１６】
実施例２では、図４に示すように実施例１で得られた再生パルプＰをシート状に成形して綿状シート６を得るとともに綿花をシート状に成形して綿花シート７を得、上側の綿状シート６と綿花シート７との間に高分子吸収ポリマー４と受けティッシュ２を介在し、下側の綿状シート６と綿花シート７の間に受けティッシュ２を介在し、各綿状シート６の各面に受けティッシュ２をそれぞれ介してＰＶＡ（ポリビニルアルコール）からなる水溶性の表面不織布１と同じくＰＶＡからなる防水加工を施した水溶性の防水性裏面シート５をそれぞれ重ね合わせて積層一体化し、図１に示すように着用者の太股に密着させる伸縮部８をゴムで形成するとともに防水性裏面シート５の表面に下着に装着する粘着部９を形成している。なお、再生パルプＰと綿花の割合は６０：４０（重量％）としている。
【００１７】
実施例２ではこのように構成したから、綿花のシートを積層することで従来の尿吸収体と比較して適度な柔軟性とフィット感が得られ、着用者の様々な体型に馴染むとともに装着感に優れたものとなった。また、綿花の優れた復元力によって圧縮しても解圧後初期の形状に復元するから、真空包装で容積を大幅に縮少させて輸送コストを低減できた。その他、符号、構成は実施例１と同じである。
【００１８】
実施例３：図５に示す実施例３は、回収パルプにケナフパルプを混合してシート状に成形するとともにシート状の綿花を積層した吸収シートを尿取りパッドに適用した例である。図５は実施例３の尿取りパッドの拡大分解断面図である。
【００１９】
実施例３では、図５に示すように実施例１で得られた再生パルプＰにケナフパルプを混合し、シート状に成形して綿状シート３を得るとともに綿花をシート状に成形して綿花シート７を得、上側の綿状シート３と綿花シート７との間に高分子吸収ポリマー４と受けティッシュ２を介在し、下側の綿状シート３と綿花シート７の間に受けティッシュ２を介在し、各綿状シート３の各面に受けティッシュ２をそれぞれ介してＰＶＡ（ポリビニルアルコール）からなる水溶性の表面不織布１と同じくＰＶＡからなる防水加工を施した水溶性の防水性裏面シート５をそれぞれ重ね合わせて積層一体化し、図１に示すように着用者の太股に密着させる伸縮部８をゴムで形成するとともに防水性裏面シート５の表面に下着に装着する粘着部９を形成している。なお、再生パルプＰとケナフパルプと綿花の割合は４０：３０：３０（重量％）としている。
【００２０】
実施例３ではこのように構成したから、使用済品からパルプ成分を回収して再利用するとともに非木材のケナフパルプを使用することで新たに木材を伐採することなく環境に負荷をかけず且つ十分な品質を有する安価な製品となり、また、綿花のシートを積層することで従来の尿吸収体と比較して適度な柔軟性とフィット感が得られ、着用者の様々な体型に馴染むとともに装着感に優れたものとなった。また、綿花の優れた復元力によって圧縮しても解圧後初期の形状に復元するから、真空包装で容積を大幅に縮少させて輸送コストを低減できた。このように環境保護と好ましい使用感、低輸送コストを合わせ持った優れた製品を提供できる。その他、符号、構成は実施例１，２と同じである。
【００２１】
【発明の効果】
以上説明したように、本発明によればパルプ成分を回収して再利用したり非木材パルプを利用することで環境に負荷をかけず、綿花を使用することで適度な柔軟性やフィット感を実現でき、しかも優れた復元力で真空包装を可能にする尿吸収体を提供できる。
【図面の簡単な説明】
【図１】実施例１の尿取りパッドの斜視図である。
【図２】図１のＡ−Ａ拡大分解断面図である。
【図３】実施例１の使用済の尿吸収体の処理工程を示す説明図である。
【図４】実施例２の尿取りパッドの拡大分解断面図である。
【図５】実施例３の尿取りパッドの拡大分解断面図である。
【符号の説明】
１  表面不織布
２  受けティッシュ
３  綿状シート
４  高分子吸収ポリマー
５  防水性裏面シート
６  綿状シート
７  綿花シート
８  伸縮部
９  粘着部
１０  撹拌槽
１１  モータ
１２  撹拌器
１３  ポンプ
１４  温水
１５  離水剤
１６  メッシュコンベヤ
１７  比重分離槽
１８  洗浄・殺菌工程
１９  脱水・乾燥工程
２０  シート成形工程
２１  ポリマー分離槽
２２  浄化槽
２３  廃水処理工程
２４  分解菌
ｐ  （使用済の）尿吸収体
Ｐ  再生パルプ
Ｔ  堆肥
【図１】
2004187966.tif 000003
【図２】
2004187966.tif 000004
【図３】
2004187966.tif 000005
【図４】
2004187966.tif 000006
【図５】
2004187966.tif 000007